(57)【要約】      （修正有）【課題】伝送ケーブルの収納及び利用が便利となる３Ｃ電気製品用伝送ケーブルの隠れ構造を提供する。【解決手段】３Ｃ電気製品のケースの内部には、回路構造Ａと、伝送ケーブル２０とが設けられ、ケースはベースケース３０とカバー４０を合せて構成される３Ｃ電気製品用伝送ケーブルの隠れ構造において、伝送ケーブルは、コイル状を呈し弾性を有するケーブル２１を有し、一端がコネクタ２２と連接し、他端が回路構造と電気的に連接し、ベースケースは、凹み状を呈し、回路構造に近接する側辺の周縁に凹み３１が設けられ、収容空間３２は、凹みから回路構造に近接する箇所まで延び、凹みに応じて短溝が垂直に成形され、短溝の端部の一側には、内側に延びる長溝が設けられ、長溝が回路構造に延び、カバーは、ベースケースに対応し、凹み状を呈し、その周縁には、ベースケースの凹みに対応する凹み４１が設けられ、二つの凹みを合せて開口が形成される。【選択図】図２
0003170782.tif 000002
【実用新案登録請求の範囲】
【請求項１】
３Ｃ電気製品のケースの内部には、回路構造と、伝送ケーブルと、が設けられ、前記ケースはベースケースとカバーを合せて構成される３Ｃ電気製品用伝送ケーブルの隠れ構造において、
前記伝送ケーブルは、コイル状を呈し弾性を有するケーブルを有し、一端がコネクタと連接し、他端が前記回路構造と電気的に連接し、
前記ベースケースは、凹み状を呈し、前記回路構造に近接する側辺の周縁に凹みが設けられ、収容空間は、前記凹みから前記回路構造に近接する箇所まで延び、前記凹みに応じて短溝が垂直に成形され、前記短溝の端部の一側には、内側に延びる長溝が設けられ、前記長溝が前記回路構造に延び、前記短溝には、前記凹みに応じて止め部が設けられ、前記止め部が所定距離で前記凹みから離れ、前記凹みと前記止め部とはそれぞれ前記短溝の両側に位置し、前記伝送ケーブルが前記収容空間に収容され、前記コネクタが前記凹みと前記止め部の間に収容され、前記ケーブルは前記長溝に沿って延びて前記回路構造と電気的に連接し、
前記カバーは、前記ベースケースに対応し、凹み状を呈し、その周縁には、前記ベースケースの前記凹みに対応する凹みが設けられ、前記二つの凹みを合せて開口が形成され、前記伝送ケーブルの前記コネクタの制御ブロックが前記開口から外部に露呈することを特徴とする３Ｃ電気製品用伝送ケーブルの隠れ構造。
【請求項２】
前記伝送ケーブルの前記ケーブルに規制具が固定されており、前記収容空間の前記長溝の前記回路構造に隣接する端部に押付け部が設けられ、前記押付け部は前記ケーブルの延び方向と垂直するように設けられ、前記伝送ケーブルが前記収容空間に収容され、前記ケーブルは前記押付け部を挿通して前記回路構造と電気的に連接し、前記規制具を介して前記ケーブルが前記押付け部に規制されることを特徴とする、請求項１に記載の３Ｃ電気製品用伝送ケーブルの隠れ構造。
【請求項３】
前記規制具は表面に溝が設けられるＨ字形ブロックに成形され、前記押付け部に欠け口が設けられ、前記規制具の前記溝に前記押付け部の前記欠け口の周縁が嵌合され、前記ケーブルは、前記押付け部を挿通し、前記規制具を介して前記押付け部に規制されることを特徴とする、請求項２に記載の３Ｃ電気製品用伝送ケーブルの隠れ構造。
【請求項４】
前記規制具は、片状を呈し、前記ケーブルに挿通され、前記押付け部には、断面積が前記規制具の断面積よりも小さい貫通孔が設けられ、前記ケーブルは、前記貫通孔を挿通して前記回路構造と電気的に連接し、前記規制具を介して前記押付け部に規制されることを特徴とする、請求項２に記載の３Ｃ電気製品用伝送ケーブルの隠れ構造。
【請求項５】
前記伝送ケーブルの前記ケーブルは伸縮定位構造に巻き付けられることを特徴とする、請求項１に記載の３Ｃ電気製品用伝送ケーブルの隠れ構造。
【請求項６】
前記伝送ケーブルの前記コネクタの一側に制御ブロックが設けられ、前記コネクタの他側が前記ケーブルと連接し、前記コネクタと前記ケーブルの連接形態がΓ字形を呈し、前記収容空間の前記長溝は水平方向に沿って前記回路構造に近接する箇所まで延び、前記長溝に押付け部が設けられ、前記押付け部は前記ケーブルの延び方向と垂直するように設けられ、前記収容空間は、前記凹みの両側からそれぞれ前記止め部と前記押付け部とに延びる側壁を有し、更に、前記止め部及び前記押付け部と連接する側壁を有し、前記三つの側壁、前記止め部と前記押付け部から、前記伝送ケーブルの形状に対応する空間が形成されることを特徴とする、請求項１に記載の３Ｃ電気製品用伝送ケーブルの隠れ構造。
【請求項７】
前記収容空間の前記止め部は側板に成形されることを特徴とする、請求項１に記載の３Ｃ電気製品用伝送ケーブルの隠れ構造。
【請求項８】
前記収容空間の前記止め部は二つのピンに成形されることを特徴とする、請求項１に記載の３Ｃ電気製品用伝送ケーブルの隠れ構造。
【請求項９】
前記伝送ケーブルの前記ケーブルと前記コネクタの連接形態は直線状を呈し、前記収容空間の前記長溝は、前記短溝の端部から内側に凹んで矩形空間を形成することを特徴とする、請求項１に記載の３Ｃ電気製品用伝送ケーブルの隠れ構造。
【請求項１０】
前記カバーの内部には、前記収容空間に応じて規制リブが成形され、前記伝送ケーブルの前記ケーブル及び前記コネクタは、前記規制リブと前記収容空間の間に収容され、前記伝送ケーブルの前記コネクタの前記制御ブロックは前記開口から外部に露呈することを特徴とする、請求項１に記載の３Ｃ電気製品用伝送ケーブルの隠れ構造。
【考案の詳細な説明】
【技術分野】
【０００１】
本考案は、３Ｃ(Computer、Communication、Consumer）電気製品と伝送ケーブルの結合構造に関し、特に、３Ｃ電気製品の内部に伝送ケーブルを隠れるための３Ｃ電気製品用伝送ケーブルの隠れ構造に関するものである。
【背景技術】
【０００２】
一般の携帯電話、デジタルカメラやノートブック式パーソナルコンピュータなどの携帯式３Ｃ電気製品がデータを伝送したいときには、図１に示すように、３Ｃ電気製品１０同士に、二つのコネクタ１１２を有する伝送ケーブル１１をそれぞれ挿入することが必要であり、そして携帯式３Ｃ電気製品を充電したいときには、３Ｃ電気製品１０と電源とに二つのコネクタ１１２を有する伝送ケーブル１１をそれぞれ挿入することが必要である。
【０００３】
現在、複数の携帯式３Ｃ電気製品を同時に有するユーザが多いが、各種類の３Ｃ電気製品１０の伝送ポート１０１は必ず他の３Ｃ電気製品１０の伝送ポートと同じであることがないため、伝送ケーブル１１のコネクタ１１２は適用できない場合がある。そうすると、携帯式３Ｃ電気製品の各種類の伝送ポートに応じて複数本の伝送ケーブル１１を用意することが必要となる。
【０００４】
一方、一般の伝送ケーブル１１のケーブル１１１が一定の長さを有するため、利用及び収納に不便である。例えばコンピュータ又は電源に伝送ケーブルを長期間に接続すると、コンピュータ又は電源の周囲が乱雑となり、そしてケーブル１１１を巻いた後の体積はコネクタ１１２よりも大きいため、伝送ケーブルの携帯が極めて不便である。
【０００５】
特に、データを伝送したいときに伝送ケーブルを携帯しない場合には、伝送ケーブルを別に購入しないと、データを伝送することができない。これにより、３Ｃ電気製品と伝送ケーブルとが別体である状態では、利用が極めて不便である。
【考案の概要】
【考案が解決しようとする課題】
【０００６】
本考案の主な目的は、伝送ケーブルの収納及び利用が便利となる３Ｃ電気製品用伝送ケーブルの隠れ構造を提供することにある。
【課題を解決するための手段】
【０００７】
本考案の３Ｃ電気製品用伝送ケーブルの隠れ構造によると、３Ｃ電気製品のケースの内部には、回路構造と、伝送ケーブルと、が設けられ、前記ケースはベースケースとカバーを合せて構成される３Ｃ電気製品用伝送ケーブルの隠れ構造において、
前記伝送ケーブルは、コイル状を呈し弾性を有するケーブルを有し、一端がコネクタと連接し、他端が前記回路構造と電気的に連接し、
前記ベースケースは、凹み状を呈し、前記回路構造に近接する側辺の周縁に凹みが設けられ、収容空間は、前記凹みから前記回路構造に近接する箇所まで延び、前記凹みに応じて短溝が垂直に成形され、前記短溝の端部の一側には、内側に延びる長溝が設けられ、前記長溝が前記回路構造に延び、前記短溝には、前記凹みに応じて止め部が設けられ、前記止め部が所定距離で前記凹みから離れ、前記凹みと前記止め部とはそれぞれ前記短溝の両側に位置し、前記伝送ケーブルが前記収容空間に収容され、前記コネクタが前記凹みと前記止め部の間に収容され、前記ケーブルは前記長溝に沿って延びて前記回路構造と電気的に連接し、
前記カバーは、前記ベースケースに対応し、凹み状を呈し、その周縁には、前記ベースケースの前記凹みに対応する凹みが設けられ、前記二つの凹みを合せて開口が形成され、前記伝送ケーブルの前記コネクタの制御ブロックが前記開口から外部に露呈することを特徴とする。
【０００８】
本考案の３Ｃ電気製品用伝送ケーブルの隠れ構造によると、前記伝送ケーブルの前記ケーブルに規制具が固定されており、前記収容空間の前記長溝の前記回路構造に隣接する端部に押付け部が設けられ、前記押付け部は前記ケーブルの延び方向と垂直するように設けられ、前記伝送ケーブルが前記収容空間に収容され、前記ケーブルは前記押付け部を挿通して前記回路構造と電気的に連接し、前記規制具を介して前記ケーブルが前記押付け部に規制されることを特徴とする。
【０００９】
本考案の３Ｃ電気製品用伝送ケーブルの隠れ構造によると、前記規制具は表面に溝が設けられるＨ字形ブロックに成形され、前記押付け部に欠け口が設けられ、前記規制具の前記溝に前記押付け部の前記欠け口の周縁が嵌合され、前記ケーブルは、前記押付け部を挿通し、前記規制具を介して前記押付け部に規制されることを特徴とする。
【００１０】
本考案の３Ｃ電気製品用伝送ケーブルの隠れ構造によると、前記規制具は、片状を呈し、前記ケーブルに挿通され、前記押付け部には、断面積が前記規制具の断面積よりも小さい貫通孔が設けられ、前記ケーブルは、前記貫通孔を挿通して前記回路構造と電気的に連接し、前記規制具を介して前記押付け部に規制されることを特徴とする。
【００１１】
本考案の３Ｃ電気製品用伝送ケーブルの隠れ構造によると、前記伝送ケーブルの前記ケーブルは伸縮定位構造に巻き付けられることを特徴とする。
【００１２】
本考案の３Ｃ電気製品用伝送ケーブルの隠れ構造によると、前記伝送ケーブルの前記コネクタの一側に制御ブロックが設けられ、前記コネクタの他側が前記ケーブルと連接し、前記コネクタと前記ケーブルの連接形態がΓ字形を呈し、前記収容空間の前記長溝は水平方向に沿って前記回路構造に近接する箇所まで延び、前記長溝に押付け部が設けられ、前記押付け部は前記ケーブルの延び方向と垂直するように設けられ、前記収容空間は、前記凹みの両側からそれぞれ前記止め部と前記押付け部とに延びる側壁を有し、更に、前記止め部及び前記押付け部と連接する側壁を有し、前記三つの側壁、前記止め部と前記押付け部から、前記伝送ケーブルの形状に対応する空間が形成されることを特徴とする。
【００１３】
本考案の３Ｃ電気製品用伝送ケーブルの隠れ構造によると、前記収容空間の前記止め部は側板に成形されることを特徴とする。
【００１４】
本考案の３Ｃ電気製品用伝送ケーブルの隠れ構造によると、前記収容空間の前記止め部は二つのピンに成形されることを特徴とする。
【００１５】
本考案の３Ｃ電気製品用伝送ケーブルの隠れ構造によると、前記伝送ケーブルの前記ケーブルと前記コネクタの連接形態は直線状を呈し、前記収容空間の前記長溝は、前記短溝の端部から内側に凹んで矩形空間を形成することを特徴とする。
【００１６】
本考案の３Ｃ電気製品用伝送ケーブルの隠れ構造によると、前記カバーの内部には、前記収容空間に応じて規制リブが成形され、前記伝送ケーブルの前記ケーブル及び前記コネクタは、前記規制リブと前記収容空間の間に収容され、前記伝送ケーブルの前記コネクタの前記制御ブロックは前記開口から外部に露呈することを特徴とする。
【考案の効果】
【００１７】
本考案の３Ｃ電気製品用伝送ケーブルの隠れ構造によれば、伝送ケーブルの収納及び利用が便利となるという効果を有する。
【図面の簡単な説明】
【００１８】
【図１】従来の３Ｃ電気製品に伝送ケーブルを合せて利用する状態を示す模式図である。
【図２】本考案の３Ｃ電気製品と伝送ケーブルの結合構造を示す分解斜視図である。
【図３】図２の組合済み状態を示す透視図である。
【図４】図３の正面透視図である。
【図５】本考案のケースの収容空間の他の実施態様を示す模式図である。
【図６】本考案のケースの収容空間の別の実施態様を示す模式図である。
【図７】本考案のケースの収容空間の更に別の実施態様を示す模式図である。
【図８】本考案の伝送ケーブルが直線状を呈する実施態様を示す模式図である。
【図９】本考案のケースの収容空間の止め部の別の実施態様を示す模式図である。
【図１０】本考案の伝送ケーブルの別の実施態様を示す模式図である。
【考案を実施するための形態】
【００１９】
以下、本考案の実施の形態を図面に基づいて説明する。
まず、図２及び図３を参照する。本考案の一実施例の３Ｃ電気製品用伝送ケーブルの隠れ構造は、３Ｃ電気製品のケースの内部には、回路構造Ａと、伝送ケーブル２０と、が設けられる。前記ケースは、ベースケース３０と、カバー４０と、を合せて構成される。
【００２０】
伝送ケーブル２０は、ケーブル２１を有し、一端がコネクタ２２と連接し、コネクタ２２が他の３Ｃ電気製品の伝送ポートに挿入されてデータを伝送できる。伝送ケーブル２０の他端は、規制具２３を挿通して回路構造Ａと電気的に連接する。規制具２３は表面に溝２３１が設けられるＨ字形ブロックに成形される。本実施例では、図２及び図３に示すように、コネクタ２２の一側がケーブル２１の一端に連接され、コネクタ２２の他側に制御ブロック２２１が設けられる。コネクタ２２とケーブル２１の連接形態がΓ字形を呈する。ケーブル２１は、コイル状を呈し弾性を有するものであり、平常時に体積が極めて小さく、引張られると利用できる長さが増加する。
【００２１】
ベースケース３０は、凹み状を呈し、上部に近接する箇所で回路構造Ａが設けられ、下半段に電池を設けることができる。しかし、これは本考案の重点ではないため、説明を省略した。ベースケース３０の回路構造Ａに近接する側辺の周縁に凹み３１が設けられる。収容空間３２は、凹み３１から回路構造Ａに近接する箇所まで延び、これにより、Γ字形を呈する溝が形成される。収容空間３２は、図３に示すように、凹み３１に応じて短溝３２４が成形される。短溝３２４に伝送ケーブル２０のコネクタ２２を収容できる。短溝３２４の端部の一側には、内側に延びる長溝３２５が設けられる。長溝３２５は、回路構造Ａに延び、コイル状となる伝送ケーブル２０を収容できる。
【００２２】
短溝３２４には、凹み３１に応じて止め部３３が設けられる。止め部３３は所定距離で凹み３１から離れる。凹み３１と止め部３３とはそれぞれ短溝３２４の両側に位置する。これにより、コネクタ２２は短溝３２４の凹み３１から止め部３３までの空間に収容される。長溝３２５の回路構造Ａに近接する端部に押付け部３４が設けられる。押付け部３４はケーブル２１の延び方向と垂直するように設けられる。これにより、ケーブル２１が押付けられ、ケーブル２１の端部が押付け部３４を挿通する。
【００２３】
本実施例では、収容空間３２は、凹み３１の両側からそれぞれ止め部３３と押付け部３４とに延びる側壁３２１、３２２を有し、更に、止め部３３及び押付け部３４と連接する側壁３２３を有する。側壁３２１、３２２、３２３、止め部３３と押付け部３４から、伝送ケーブル２０の形状に対応する空間が形成される。図２に示すように、収容空間３２がΓ字形を呈し、止め部３３が側板３３１に成形され、押付け部３４は止め部３３に平行する側板である。押付け部３４に欠け口３４１が設けられる。溝２３１と欠け口３４１とにより、規制具２３が定位される。
【００２４】
カバー４０は、ベースケース３０に対応し、凹み状を呈し、その周縁には、ベースケース３０の凹み３１に対応する凹み４１が設けられる。凹み３１、４１を合せて開口４０１が形成され、開口４０１の輪郭がコネクタ２２の側面の形状に対応する。本実施例では、図２に示すように、カバー４０の内部には、収容空間３２に応じて規制リブ４２が成形される。ベースケース３０とカバー４０を合せると、伝送ケーブル２０のケーブル２１及びコネクタ２２は、規制リブ４２、側壁３２１、３２２、３２３、止め部３３と押付け部３４から構成される空間に収容される。伝送ケーブル２０のコネクタ２２は開口４０１に嵌合される。
【００２５】
また、短溝３２４の内面には、滑り止めリブ３２６が別に設けられる。カバー４０には、滑り止めリブ３２６に対応する箇所で滑り止めリブ３２６も設けられる。これにより、コネクタ２２が定位されて不意に脱落することはない。
【００２６】
次に、本考案の一実施例の３Ｃ電気製品用伝送ケーブルの隠れ構造の操作方法及び効果を説明する。
【００２７】
本考案の３Ｃ電気製品用伝送ケーブルの隠れ構造の組付方法は、まず、伝送ケーブル２０の一端を押付け部３４に挿通して回路構造Ａと電気的に連接した後、収容空間３２にケーブル２１を収容して、開口４０１にコネクタ２２の制御ブロック２２１が設けられる側面を合せる。そうすると、組付け作業が完成した。
【００２８】
一方、図５乃至図７を参照する。図５乃至図７に示すのは、本考案のケースの内部にある収容空間３２の短溝３２４と長溝３２５がΓ字形を呈する三つの実施の態様である。図５に示すように、収容空間３２は、短溝３２４の止め部３３に側板３３１が設けられ、側板３３１によりコネクタ２２が凹み３１と止め部３３の間に定位される。図６に示すように、収容空間３２に止め部３３である側板３３１と押付け部３４とが設けられ、本実施例では、規制具２３は、片状に成形され、ケーブル２１に挿通され、押付け部３４には、断面積が規制具２３の断面積よりも小さい貫通孔３４２が設けられ、ケーブル２１が貫通孔３４１を挿通して回路構造Ａと電気的に連接し、規制具２３を介してケーブル２１が押付け部３４に規制される。図７に示すように、収容空間３２は、止め部３３である側板３３１、押付け部３４と側壁３２１、３２２、３２３から構成され、押付け部３４に貫通孔３４２が設けられ、規制具２３は、片状に成形され、ケーブル２１に挿通される。
【００２９】
図８乃至図１０に示すのは、本考案の別の実施の態様である。図８に示すように、ケーブル２１は、直線状を呈し、コネクタ２２と電気的に連接する。収容空間３２の長溝３２５は、短溝３２４の端部から内側に凹んで矩形空間を形成し、収容空間３２に止め部３３である側板３３１が設けられる。図９に示すように、伝送ケーブル２０のケーブル２１が伸縮定位構造２４に巻き付けられ、伸縮定位構造２４により、ケーブル２１を延長し、又は収縮することができる。図１０に示すように、収容空間３２に止め部３３が設けられ、本実施例では、止め部３３がピン３３２、３３２であり、ピン３３２、３３２によりコネクタ２２が止められる。
【００３０】
図３に示すように、制御ブロック２２１を挟んで外側に引くと、コネクタ２２が開口４０１からケースを離脱して利用できる。コネクタ２２を利用したくないときには、開口４０１にケーブル２１及びコネクタ２２を嵌め込むだけで、収納作業が完成した。このように、本考案の３Ｃ電気製品用伝送ケーブルの隠れ構造によれば、伝送ケーブル２０は、ケースの内部に収納でき、そして何時でも利用できるため、極めて便利である。
【００３１】
一方、メーカにとって、本考案の伝送ケーブル２０は、３Ｃ電気製品の内部に回路構造Ａと電気的に連接し、且つ収納時にケースの内部に直接に嵌め込まれる。一般の３Ｃ電気製品（例えば携帯電話、デジタルカメラ、充電池や携帯式ハードディスクなど）の伝送ポートの機能が一定であるため、３Ｃ電気製品の伝送ポートの構造は予想できる。図２に示すように、３Ｃ電気製品は、充電池であり、貯蓄される電力が携帯電話やデジタルカメラなどの３Ｃ電気製品に出力する。一般の小型の３Ｃ電気製品の電源用伝送ポートは大体同じであるため、本考案の３Ｃ電気製品用伝送ケーブルの隠れ構造によれば、充電池に電源用伝送ポートを設けることが必要せず、生産コストを低減することができる。
【符号の説明】
【００３２】
１０：３Ｃ電気製品
１１：伝送ケーブル
２０：伝送ケーブル
２１：ケーブル
２２：コネクタ
２３：規制具
２４：伸縮定位構造
３０：ベースケース
３１：凹み
３２：収容空間
３３：止め部
３４：押付け部
４０：カバー
４１：凹み
４２：規制リブ
１０１：伝送ポート
１１１：ケーブル
１１２：コネクタ
２２１：制御ブロック
２３１：溝
３２１：側壁
３２２：側壁
３２３：側壁
３２４：短溝
３２５：長溝
３２６：滑り止めリブ
３３１：側板
３３２：ピン
３４１：欠け口
３４２：貫通孔
４０１：開口
Ａ：回路構造
【図１】
0003170782.tif 000003
【図２】
0003170782.tif 000004
【図３】
0003170782.tif 000005
【図４】
0003170782.tif 000006
【図５】
0003170782.tif 000007
【図６】
0003170782.tif 000008
【図７】
0003170782.tif 000009
【図８】
0003170782.tif 000010
【図９】
0003170782.tif 000011
【図１０】
0003170782.tif 000012